(57)【要約】【課題】  従来の折畳みパズルは、１枚のもので正解の形態が１通りしかなく、しかも正解の折り手順を比較的簡単に見つけることができるので、ゲーム性（面白味）が乏しく、比較的短時間で飽きてしまうものであった。【解決手段】  １枚の正方形シート５１の表裏各面をそれぞれ１６等分して、該シート５１の表裏各面にそれぞれ１６区分ずつで合計３２個の区画部１〜３２を設け、シート５１の所定位置に３本の縦向きの切込み線を設け、縦及び横に隣接する各区画部に折り線を設け、表裏３２個の各区画部１〜３２に同種形態の４つの標識を１組とし且つ各組ごとに相互に異なる形態とした８組の標識Ａ〜Ｈを所定の条件で１つずつ割り当てて表示して、各折り線を所定の規則に従って折畳むことにより８組の各同種標識を１組ずつ同一面に現し得るようにしていることにより、ゲーム性に富んだ折畳みパズルを提供できる。【選択図】  図１
2008284254.tif 000002
【特許請求の範囲】
【請求項１】
所定面積を有する１枚の正方形シート（５１）の表裏各面（５１ａ，５１ｂ）をそれぞれ縦４列と横４列に１６等分して、該シート（５１）の表裏各面にそれぞれ同一面積の正方形からなる１６区分ずつで合計３２個の区画部（１〜３２）を設け、
前記シート（５１）には、縦第１列と縦第２列間の境界部分の第２段目と第３段目の区画部が位置する範囲と、縦第２列と縦第３列間の境界部分の第２段目と第３段目の区画部が位置する範囲と、縦第３列と縦第４列間の境界部分の第２段目と第３段目の区画部が位置する範囲とに、それぞれ縦向きの切込み線（５２ａ〜５２ｃ）を設け、
前記シート（５１）には、縦及び横に隣接する前記各区画部（１〜３２）における前記各切込み線（５２ａ〜５２ｃ）を除く各境界部分にそれぞれ表裏各側に折畳み得る折り線（５３ａ〜５３ｆ、５４ａ〜５４ｌ）を設け、
前記表裏３２個の各区画部（１〜３２）には、同種形態の４つの標識を１組とし且つ各組ごとに相互に異なる形態とした８組で合計３２個の標識（Ａ，Ａ・・〜Ｈ，Ｈ・・）をそれぞれ次の条件で１つずつ割り当てて表示し、
前記８組で合計３２個の標識（Ａ，Ａ・・〜Ｈ，Ｈ・・）の割り当て条件は、シート表面（５１ａ）側の横第１段目における４つの区画部を左から順に第１〜第４区画部（１〜４）とし、シート表面（５１ａ）側の横第２段目における４つの区画部を左から順に第５〜第８区画部（５〜８）とし、シート表面（５１ａ）側の横第３段目における４つの区画部を左から順に第９〜第１２区画部（９〜１２）とし、シート表面（５１ａ）側の横第４段目における４つの区画部を左から順に第１３〜第１６区画部（１３〜１６）とし、シート裏面（５１ｂ）側の横第１段目における４つの区画部を左から順に第１７〜第２０区画部（１７〜２０）とし、シート裏面（５１ｂ）側の横第２段目における４つの区画部を左から順に第２１〜第２４区画部（２１〜２４）とし、シート裏面（５１ｂ）側の横第３段目における４つの区画部を左から順に第２５〜第２８区画部（２５〜２８）とし、シート裏面（５１ｂ）側の横第４段目における４つの区画部を左から順に第２９〜第３２区画部（２９〜３２）としたものにおいて、第１組の同種形態の４つの標識（Ａ，Ａ・・）をそれぞれ第１区画部（１）と第２区画部（２）と第１３区画部（１３）と第１４区画部（１４）に割り当て、第２組の同種形態の４つの標識（Ｂ，Ｂ・・）をそれぞれ第５区画部（５）と第６区画部（６）と第１１区画部（１１）と第１２区画部（１２）に割り当て、第３組の同種形態の４つの標識（Ｃ，Ｃ・・）をそれぞれ第３区画部（３）と第７区画部（７）と第９区画部（９）と第１０区画部（１０）に割り当て、第４組の同種形態の４つの標識（Ｄ，Ｄ・・）をそれぞれ第１７区画部（１７）と第２０区画部（２０）と第２１区画部（２１）と第２４区画部（２４）に割り当て、第５組の同種形態の４つの標識（Ｅ，Ｅ・・）をそれぞれ第１８区画部（１８）と第２２区画部（２２）と第２５区画部（２５）と第２９区画部（２９）に割り当て、第６組の同種形態の４つの標識（Ｆ，Ｆ・・）をそれぞれ第１９区画部（１９）と第２３区画部（２３）と第２６区画部（２６）と第３０区画部（３０）に割り当て、第７組の同種形態の４つの標識（Ｇ，Ｇ・・）をそれぞれ第４区画部（４）と第１６区画部（１６）と第２７区画部（２７）と第３１区画部（３１）に割り当て、第８組の同種形態の４つの標識（Ｈ，Ｈ・・）をそれぞれ第８区画部（８）と第１５区画部（１５）と第２８区画部（２８）と第３２区画部（３２）に割り当てて配置し、
前記各折り線（５３ａ〜５３ｆ、５４ａ〜５４ｌ）を所定の規則に従って折畳むことにより、４つの同種形態の標識を１組とした合計８組の各同種標識（Ａ，Ａ・・〜Ｈ，Ｈ・・）をそれぞれ１組ずつ前記シート（５１）の１／４の面積の正方形の同一面に現し得るようにしている、
ことを特徴とする折畳みパズル。
【発明の詳細な説明】
【技術分野】
【０００１】
本願発明は、１枚の正方形シートの表裏各面をそれぞれ１６等分して表裏各面に合計３２個の区画部を設け、該各区画部（３２個）に４つの同種形態を１組とした８組の異形標識（合計３２個）を所定位置に割り当てて配置し、シートを所定の規則に従って１／４の面積の正方形に折畳むことりより各組（合計８組）の同種形態標識（４個）をそれぞれ同一面に現し得るようにした折畳みパズルに関するものである。
【背景技術】
【０００２】
折畳みパズルは、シートを所定の規則に従って折畳むことで同一面に所定の形態を表示し得るようにしたもので、ゲーム性があり、幼児から老人まで多くの人が楽しめるものである。特に、一般に、年老いてくると脳の老化が進行するとともに手指が繊細に動かせにくくなってくるが、この種の折畳みパズルは、脳の老化防止や手指の運動訓練に役立つものである。
【０００３】
この種の折畳みパズルとして、従来から例えば特開２００６−２１７９８３号公報（特許文献１）に示されるものがある。この公知（特許文献１）の折畳みパズルは、正方形シートの片面に、縦横にそれぞれ４×４個（合計１６個）の正方形のマス目を設け、この各マス目の適所に同じ図柄を所定の向き（０°、９０°、１８０°、２７０°の各回転姿勢）で配置したものである。そして、この公知の折畳みパズルでは、所定の各マス目の境界線又は対角線に沿って元の１／４の面積（２×２個のマス目の面積）に折畳んだときに、表裏各側にそれぞれ４つの同じ図柄が完全な形で且つ全て同じ向きに現れるようになっている。尚、この公知の折畳みパズルでは、各図柄の配置や向きを変えた数種類のものが作成されている。
【０００４】
【特許文献１】特開２００６−２１７９８３号公報
【発明の開示】
【発明が解決しようとする課題】
【０００５】
ところが、上記した公知（特許文献１）の折畳みパズルでは、図柄の配置や向きを変えた数種類のものが作成されているが、１枚のもので正解の形態が１通りしかなく、しかも正解の折り手順を比較的簡単に見つけることができるので、ゲーム性（面白味）が乏しく、比較的短時間で飽きてしまうものであった。
【０００６】
尚、公知の折畳みパズルとして、上記特許文献１のほかに種々のものが知られているが、いずれも比較的単純なものである。
【０００７】
そこで、本願発明は、１枚の正方形シートで合計８種類の正解形態を有し且つ各正解折り手順の発見が比較的容易なものから難度の高いものまで種々有するようにすることにより、高度なゲーム性（面白味）を付与し得るようにした折畳みパズルを提供することを目的としている。
【課題を解決するための手段】
【０００８】
本願発明は、上記課題を解決するための手段として次の構成を有している。本願発明は、１枚の正方形シートからなる折畳みパズルを対象にしている。
【０００９】
そして、本願発明の折畳みパズルは、添付の図１及び図２に例示するように、所定面積を有する１枚の正方形シート５１の表裏各面５１ａ，５１ｂをそれぞれ縦４列と横４列に１６等分して、該シート５１の表裏各面にそれぞれ同一面積の正方形からなる１６区分ずつで合計３２個の区画部１〜３２を設けている。
【００１０】
前記シート５１には、縦第１列と縦第２列間の境界部分の第２段目と第３段目の区画部が位置する範囲と、縦第２列と縦第３列間の境界部分の第２段目と第３段目の区画部が位置する範囲と、縦第３列と縦第４列間の境界部分の第２段目と第３段目の区画部が位置する範囲とに、それぞれ縦向きの切込み線５２ａ〜５２ｃを設けている。又、該シート５１には、縦及び横に隣接する前記各区画部１〜３２における各切込み線５２ａ〜５２ｃを除く各境界部分に、それぞれ表裏各側に折畳み得る折り線（縦折り線５３ａ〜５３ｆ、横折り線５４ａ〜５４ｌ）を設けている。
【００１１】
表裏３２個の各区画部１〜３２には、同種形態の４つの標識を１組とし且つ各組ごとに相互に異なる形態とした８組で合計３２個の標識Ａ，Ａ・・〜Ｈ，Ｈ・・を、それぞれ次の条件で１つずつ割り当てて表示している。
【００１２】
まず、シートの表裏両面の合計３２の区画部１〜３２は、シート表面５１ａ側の横第１段目における４つの区画部を左から順に第１〜第４区画部１〜４とし、シート表面５１ａ側の横第２段目における４つの区画部を左から順に第５〜第８区画部５〜８とし、シート表面５１ａ側の横第３段目における４つの区画部を左から順に第９〜第１２区画部９〜１２とし、シート表面５１ａ側の横第４段目における４つの区画部を左から順に第１３〜第１６区画部１３〜１６とし、シート裏面５１ｂ側の横第１段目における４つの区画部を左から順に第１７〜第２０区画部１７〜２０とし、シート裏面５１ｂ側の横第２段目における４つの区画部を左から順に第２１〜第２４区画部２１〜２４とし、シート裏面５１ｂ側の横第３段目における４つの区画部を左から順に第２５〜第２８区画部２５〜２８とし、シート裏面５１ｂ側の横第４段目における４つの区画部を左から順に第２９〜第３２区画部２９〜３２として、それぞれ位置付けする。
【００１３】
そして、８組（合計３２個）の標識Ａ，Ａ・・〜Ｈ，Ｈ・・は、第１組の同種形態の４つの標識Ａ，Ａ・・をそれぞれ第１区画部１と第２区画部２と第１３区画部１３と第１４区画部１４に割り当て、第２組の同種形態の４つの標識Ｂ，Ｂ・・をそれぞれ第５区画部５と第６区画部６と第１１区画部１１と第１２区画部１２に割り当て、第３組の同種形態の４つの標識Ｃ，Ｃ・・をそれぞれ第３区画部３と第７区画部７と第９区画部９と第１０区画部１０に割り当て、第４組の同種形態の４つの標識Ｄ，Ｄ・・をそれぞれ第１７区画部１７と第２０区画部２０と第２１区画部２１と第２４区画部２４に割り当て、第５組の同種形態の４つの標識Ｅ，Ｅ・・をそれぞれ第１８区画部１８と第２２区画部２２と第２５区画部２５と第２９区画部２９に割り当て、第６組の同種形態の４つの標識Ｆ，Ｆ・・をそれぞれ第１９区画部１９と第２３区画部２３と第２６区画部２６と第３０区画部３０に割り当て、第７組の同種形態の４つの標識Ｇ，Ｇ・・をそれぞれ第４区画部４と第１６区画部１６と第２７区画部２７と第３１区画部３１に割り当て、第８組の同種形態の４つの標識Ｈ，Ｈ・・をそれぞれ第８区画部８と第１５区画部１５と第２８区画部２８と第３２区画部３２に割り当てて配置している。
【００１４】
そして、本願の折畳みパズルは、添付の図３〜図１０にそれぞれ例示するように、各折り線５３ａ〜５３ｆ、５４ａ〜５４ｌを所定の規則に従って折畳むことにより、４つの同種形態の標識を１組とした合計８組の各同種標識Ａ，Ａ・・〜Ｈ，Ｈ・・をそれぞれ１組ずつシート５１の１／４の面積の正方形の同一面に現し得るようにしている。
【００１５】
尚、８組の同種標識Ａ，Ａ・・〜Ｈ，Ｈ・・の全ての組をそれぞれ１／４の面積の正方形の同一面に現すためには、上記の各構成を全て採用する以外には達成できない。
【００１６】
このように、本願発明の折畳みパズルでは、各折り線の折り位置及び折り順序を変えることにより、１枚のシート５１で８通りの同種標識をそれぞれ位置合わせし得るようになっており、しかも各組の同種標識（４つ）を同一面に位置合わせするのに、比較的簡単に正解できるものからかなり難度の高いものまである。
【発明の効果】
【００１７】
本願発明の折畳みパズルは、次のような効果がある。
【００１８】
(1) １枚の正方形シート５１の合計３２個の区画部１〜３２に、４つの同種形態の標識を１組とする合計８組（３２個）の同種標識Ａ，Ａ・・〜Ｈ，Ｈ・・をそれぞれ上記の条件で割り当てて表示し、シート５１に各切込み線５２ａ〜５２ｃ及び各折り線５３ａ〜５３ｆ、５４ａ〜５４ｌを設けていることにより、４つ１組の同種標識の各組（合計８組）を全て同一面に現すことができるものを提供できる。
【００１９】
(2) １枚の正方形シート５１で、４つの同種形態の標識を１組とする合計８組の同種標識Ａ，Ａ・・〜Ｈ，Ｈ・・をそれぞれ位置合わせすることができるので、ゲーム性（面白味）に富んだ遊び方ができる。尚、このように、ゲーム性に富んだ遊び方が行えると、好奇心が増長されて飽きないものとなるとともに、例えば老人では脳の老化防止や手指の運動訓練等に寄与でき、幼児では集中力の育成に寄与できる。
【００２０】
(3) ８組の各同種標識Ａ，Ａ・・〜Ｈ，Ｈ・・をそれぞれ同一面に現す正解折り手順が比較的容易なものから難度の高いものまで種々あるので、高度なゲーム性（面白味）を付与でき、老若男女を問わず能力に応じた楽しみ方ができる。
【００２１】
(4) 上記のように高度なゲーム性を有するものであっても、簡単な構成（１枚のシート５１）であるので、安価に製作できる。
【発明を実施するための最良の形態】
【００２２】
以下、図１〜図１０を参照して本願の好適な実施形態を説明すると、図１には本願実施形態の折畳みパズルの表面図を示し、図２には同折畳みパズルの裏面図を示し、図３〜図１０には８種類の各同種標識Ａ，Ａ・・〜Ｈ，Ｈ・・をそれぞれ同一面に現すための各正解折り手順を示している。
【００２３】
この実施形態の折畳みパズルは、図１及び図２に示すように、所定面積を有する１枚の正方形シート５１の表裏各面５１ａ，５１ｂをそれぞれ縦４列と横４列に１６等分して、該シート５１の表裏各面にそれぞれ同一面積の正方形からなる１６区分ずつで合計３２個の区画部１〜３２を設けている。尚、各区画部１〜３２は、図１及び図２において、各区画部の左上隅にそれぞれ該当番号（１〜３２）を付しているが、これらの番号は実際には記入されない。
【００２４】
本願で使用されるシート５１の材質としては、紙、布、プラスチックシート等で容易に折畳み得るものが採用される。又、このシート５１の大きさは、特に限定するものではないが展張状態（正方形）で一辺の長さが１０cm〜２０cm程度（１つの区画部の大きさが一辺２.５cm〜５cm程度）のものが好ましい。
【００２５】
シート５１には、図１に示すシート表面５１ａ側から見て、左から縦第１列と縦第２列間の境界部分の第２段目と第３段目の区画部が位置する範囲に縦向きの切込み線５２ａ，５２ａを設け、左から縦第２列と縦第３列間の境界部分の第２段目と第３段目の区画部が位置する範囲に縦向きの切込み線５２ｂ，５２ｂを設け、左から縦第３列と縦第４列間の境界部分の第２段目と第３段目の区画部が位置する範囲に縦向きの切込み線５２ｃ，５２ｃを設けている。
【００２６】
又、該シート５１には、縦及び横に隣接する各区画部１〜３２における各切込み線５２ａ〜５２ｃを除く各境界部分に、それぞれ表裏各側に折畳み得る折り線（縦折り線５３ａ〜５３ｆ、横折り線５４ａ〜５４ｌ）を設けている。
【００２７】
表裏３２個の各区画部１〜３２には、同種形態の４つの標識を１組とし且つ各組ごとに相互に異なる形態とした８組で合計３２個の標識Ａ，Ａ・・〜Ｈ，Ｈ・・を、それぞれ次の条件で１つずつ割り当てて表示している。尚、本願で使用する各標識Ａ〜Ｈとしては、８種類の色、８種類の文字（数字、英文字、平仮名、片仮名、漢字等）、８種類の図形（模様、キャラクター図形、動物、魚、植物、人の顔、乗り物、風景等）、等の識別できるものであれば適宜のものが採用できる。又、各同種形態の４つの標識Ａ，Ａ・・〜Ｈ，Ｈ・・は、同種ごとに同じものでもよいし、あるいは同種であることを容易にイメージできるものであれば形状を変えたものでもよい。さらに、この各標識Ａ〜Ｈは、シート５１の各区画部１〜３２にそれぞれ直接印刷したものでもよいし、所定の標識Ａ〜Ｈを印刷した標識シートを各区画部１〜３２に貼着したものでもよい。尚、図示例では各標識として単に英文字のＡ〜Ｈをシート５１の表裏各面５１ａ，５１ｂに直接印刷している。
【００２８】
各標識Ａ，Ａ・・〜Ｈ，Ｈ・・を各区画部１〜３２に割り当てるに際して、各区画部の位置を次のように特定する。即ち、シート５１の表裏両面５１ａ，５１ｂの合計３２の区画部１〜３２は、シート表面５１ａ側の横第１段目における４つの区画部を左から順に第１〜第４区画部１〜４とし、シート表面５１ａ側の横第２段目における４つの区画部を左から順に第５〜第８区画部５〜８とし、シート表面５１ａ側の横第３段目における４つの区画部を左から順に第９〜第１２区画部９〜１２とし、シート表面５１ａ側の横第４段目における４つの区画部を左から順に第１３〜第１６区画部１３〜１６とし、シート裏面５１ｂ側の横第１段目における４つの区画部を左から順に第１７〜第２０区画部１７〜２０とし、シート裏面５１ｂ側の横第２段目における４つの区画部を左から順に第２１〜第２４区画部２１〜２４とし、シート裏面５１ｂ側の横第３段目における４つの区画部を左から順に第２５〜第２８区画部２５〜２８とし、シート裏面５１ｂ側の横第４段目における４つの区画部を左から順に第２９〜第３２区画部２９〜３２として、それぞれ位置付けする。
【００２９】
そして、８組（合計３２個）の標識Ａ，Ａ・・〜Ｈ，Ｈ・・は、第１組の同種形態の４つの標識Ａ，Ａ・・をそれぞれ第１区画部１と第２区画部２と第１３区画部１３と第１４区画部１４に割り当て、第２組の同種形態の４つの標識Ｂ，Ｂ・・をそれぞれ第５区画部５と第６区画部６と第１１区画部１１と第１２区画部１２に割り当て、第３組の同種形態の４つの標識Ｃ，Ｃ・・をそれぞれ第３区画部３と第７区画部７と第９区画部９と第１０区画部１０に割り当て、第４組の同種形態の４つの標識Ｄ，Ｄ・・をそれぞれ第１７区画部１７と第２０区画部２０と第２１区画部２１と第２４区画部２４に割り当て、第５組の同種形態の４つの標識Ｅ，Ｅ・・をそれぞれ第１８区画部１８と第２２区画部２２と第２５区画部２５と第２９区画部２９に割り当て、第６組の同種形態の４つの標識Ｆ，Ｆ・・をそれぞれ第１９区画部１９と第２３区画部２３と第２６区画部２６と第３０区画部３０に割り当て、第７組の同種形態の４つの標識Ｇ，Ｇ・・をそれぞれ第４区画部４と第１６区画部１６と第２７区画部２７と第３１区画部３１に割り当て、第８組の同種形態の４つの標識Ｈ，Ｈ・・をそれぞれ第８区画部８と第１５区画部１５と第２８区画部２８と第３２区画部３２に割り当てて配置している。尚、各標識Ａ〜Ｈの形態が上下識別できるものであれば、４つの同種標識を同一面に表示させたときに全部が正常姿勢で（同向きに）見えるようにするために、各区画部１〜３２に割り当てた各標識（Ａ〜Ｈ）のうち、第５区画部５と第８区画部８と第９区画部９と第１２区画部１２の４つの標識は、それぞれ上下逆向きに表示するとよい。
【００３０】
そして、この実施形態の折畳みパズルは、図３〜図１０にそれぞれ例示するように、各折り線５３ａ〜５３ｆ、５４ａ〜５４ｌを所定の規則に従って折畳むことにより、４つの同種形態の標識を１組とした合計８組の各同種標識Ａ，Ａ・・〜Ｈ，Ｈ・・をそれぞれ１組ずつシート５１の１／４の面積の正方形の同一面に現し得るようになっている。尚、合計８組の同種標識Ａ，Ａ・・〜Ｈ，Ｈ・・の全ての組をそれぞれ１／４の面積の正方形の同一面に現すためには、上記の各構成を全て採用する以外には達成できない。
【００３１】
以下、各同種標識Ａ，Ａ・・〜Ｈ，Ｈ・・のそれぞれの正解折り手順を説明する。尚、各同種標識Ａ，Ａ・・〜Ｈ，Ｈ・・の正解折り手順は、標識の種類によっては以下の手順以外にも存在する。
【００３２】
［図３に示す第１組の同種標識Ａ，Ａ・・を同一面に現す折り手順］
図３の場合は、（イ）に示すシート表面を上面にした状態（図１の状態）から、まず縦折り線５３ｄ，５３ｅ及び切込み線５２ｂ，５２ｂ部分で左半分が上面になるように「山折」して（ロ）の状態とし、次に横折り線５４ｅ，５４ｆ部分で下半部が上面になるように「谷折」して（ハ）の状態とし、続いて横折り線５４ｌ，５４ｋ部分を上半部が上面になるように「谷折」すれば、（ニ）のように第１組の４つの標識Ａ，Ａ・・が１／４の面積の同一面に現われる。
【００３３】
［図４に示す第２組の同種標識Ｂ，Ｂ・・を同一面に現す折り手順］
図４の場合は、（イ）に示すシート表面を上面にした状態（図１の状態）から、まず横折り線５４ｅ，５４ｆ，５４ｇ，５４ｈで下半部が上面になるように「山折」して（ロ）の状態とし、次に切込み線５２ａと縦折り線５３ｄ部分で左端が下面になるように「山折」する一方、切込み線５２ｃと縦折り線５３ｆ部分で右端が上面になるように「谷折」して（ハ）の状態とし、続いて横折り線５４ｊ，５４ｄを各上側が上面になるように「谷折」すれば、（ニ）のように第２組の４つの標識Ｂ，Ｂ・・が１／４の面積の同一面に現われる。
【００３４】
［図５に示す第３組の同種標識Ｃ，Ｃ・・を同一面に現す折り手順］
図５の場合は、（イ）に示すシート表面を上面にした状態（図１の状態）から、まず横折り線５４ｅ，５４ｆ，５４ｇ，５４ｈで上半部が上面になるように「山折」して（ロ）の状態とし、次に縦折り線５３ａと切込み線５２ａ部分で左端が下面になるように「山折」する一方、縦折り線５３ｃと切込み線５２ｃ部分で右端が下面になるように「山折」して（ハ）の状態とし、続いて横折り線５４ｂのみを下半部が上面になるように「谷折」すれば、（ニ）のように第３組の４つの標識Ｃ，Ｃ・・が１／４の面積の同一面に現われる。
【００３５】
［図６に示す第４組の同種標識Ｄ，Ｄ・・を同一面に現す折り手順］
図６の場合は、（イ）に示すシート裏面を上面にした状態（図２の状態）から、まず横折り線５４ｅ，５４ｆ，５４ｇ，５４ｈで上半部が上面になるように「山折」して（ロ）の状態とし、次に縦折り線５３ｂと切込み線５２ｂ部分で右半分が上面になるように「谷折」して（ハ）の状態とし、続いて縦折り線５３ｄと切込み線５２ａ部分を左側が上面になるように「谷折」すれば、（ニ）のように第４組の４つの標識Ｄ，Ｄ・・が１／４の面積の同一面に現われる。
【００３６】
［図７に示す第５組の同種標識Ｅ，Ｅ・・を同一面に現す折り手順］
図７の場合は、（イ）に示すシート裏面を上面にした状態（図２の状態）から、まず縦折り線５３ｂ，５３ｅと切込み線５２ｂ，５２ｂ部分で左半部が上面になるように「山折」して（ロ）の状態とし、次に横折り線５４ｃ，５４ｄ部分で上側が上面になるように「谷折」する一方、横折り線５４ｇ，５４ｈ部分で下側が上面になるように「山折」して（ハ）の状態とし、続いて横折り線５４ｋ部分のみを上側が上面になるように「谷折」すれば、（ニ）のように第５組の４つの標識Ｅ，Ｅ・・が１／４の面積の同一面に現われる。
【００３７】
［図８に示す第６組の同種標識Ｆ，Ｆ・・を同一面に現す折り手順］
図８の場合は、（イ）に示すシート裏面を上面にした状態（図２の状態）から、まず縦折り線５３ｃ，５３ｆと切込み線５２ｃ，５２ｃ部分で左側が下面になるように「山折」する一方、縦折り線５３ａ，５３ｄと切込み線５２ａ，５２ａ部分で右側が下面になるように「山折」して（ロ）の状態とし、次に横折り線５４ｊ，５４ｋ部分で下側が上面になるように「谷折」する一方、横折り線５４ｆ，５４ｇ部分で上側が上面になるように「山折」して（ハ）の状態とし、続いて横折り線５４ｃ部分のみを下側が上面になるように「谷折」すれば、（ニ）のように第６組の４つの標識Ｆ，Ｆ・・が１／４の面積の同一面に現われる。
【００３８】
［図９に示す第７組の同種標識Ｇ，Ｇ・・を同一面に現す折り手順］
図９の場合は、（イ）に示すシート裏面を上面にした状態（図２の状態）から、まず縦折り線５３ｃ，５３ｆと切込み線５２ｃ，５２ｃ部分で左側が上面になるように「谷折」する一方、縦折り線５３ａ，５３ｄと切込み線５２ａ，５２ａ部分で右側が下面になるように「山折」して（ロ）の状態とし、次に横折り線５４ｈを「谷折」し、横折り線ｆを「山折」し、横折り線５４ｌを「山折」し、横折り線５４ｂを「谷折」すれば、（ハ）のように第７組の４つの標識Ｇ，Ｇ・・が１／４の面積の同一面に現われる。
【００３９】
［図１０に示す第８組の同種標識Ｈ，Ｈ・・を同一面に現す折り手順］
図１０の場合は、（イ）に示すシート裏面を上面にした状態（図２の状態）から、まず横折り線５４ａ，５４ｂ，５４ｃ，５４ｄで上側が上面になるように「谷折」して（ロ）の状態とし、次に縦折り線５３ｃ，５３ｆと切込み線５２ｃ部分で左側が上面になるように「谷折」して（ハ）の状態とし、続いて横折り線５４ｅ，５４ｆ（シート端縁の下側にある），５４ｈ部分で上側が下面になるように「山折」して（ニ）の状態とし、さらに切込み線５２ｂと横折り線５４ｅ（シート端縁の下側にある）部分で左側が上面になるように「谷折」すれば、（ホ）のように第８組の４つの標識Ｈ，Ｈ・・が１／４の面積の同一面に現われる。
【００４０】
このように、この折畳みパズルでは、各折り線の折り位置及び折り順序を変えることにより、１枚のシート５１で８通りの同種標識Ａ，Ａ・・〜Ｈ，Ｈ・・をそれぞれ１／４の面積の同一面に位置合わせし得るようになっている。又、この折畳みパズルでは、各組の同種標識（４つ）を同一面に位置合わせするのに、比較的簡単に正解できるものからかなり難度の高いものまであり、１枚ものの折畳みパズルであっても高度なゲーム性（面白味）を提供できる。
【図面の簡単な説明】
【００４１】
【図１】本願実施形態の折畳みパズルの表面図である。
【図２】図１の折畳みパズルの裏面図である。
【図３】図１の折畳みパズルの第１組の同種標識を現す折り手順説明図である。
【図４】図１の折畳みパズルの第２組の同種標識を現す折り手順説明図である。
【図５】図１の折畳みパズルの第３組の同種標識を現す折り手順説明図である。
【図６】図１の折畳みパズルの第４組の同種標識を現す折り手順説明図である。
【図７】図１の折畳みパズルの第５組の同種標識を現す折り手順説明図である。
【図８】図１の折畳みパズルの第６組の同種標識を現す折り手順説明図である。
【図９】図１の折畳みパズルの第７組の同種標識を現す折り手順説明図である。
【図１０】図１の折畳みパズルの第８組の同種標識を現す折り手順説明図である。
【符号の説明】
【００４２】
１〜３２はそれぞれ第１〜第３２の区画部、５１はシート、５１ａはシート表面、５１ｂはシート裏面、５２ａ〜５２ｃはそれぞれ切込み線、５３ａ〜５３ｆはそれぞれ縦折り線、５４ａ〜５４ｌはそれぞれ横折り線、Ａ〜Ｈはそれぞれ標識である。
【図１】
2008284254.tif 000003
【図２】
2008284254.tif 000004
【図３】
2008284254.tif 000005
【図４】
2008284254.tif 000006
【図５】
2008284254.tif 000007
【図６】
2008284254.tif 000008
【図７】
2008284254.tif 000009
【図８】
2008284254.tif 000010
【図９】
2008284254.tif 000011
【図１０】
2008284254.tif 000012